(57)【特許請求の範囲】
【請求項１】
冷媒と室内空気との熱交換を行う室内機と，複数の被調和室に設けられると共に，天井裏や床下に配設されたダクトにより連結されて前記室内機からの空気を被調和室に吹出す吹出チャンバーとを有してなる空気調和システムにおいて，
前記室内機は，室内空気を吸気して送風するファンを備えたファンユニットと，このファンユニットで吸気した室内空気と冷媒とを熱交換させる室内熱交換器を内蔵した室内熱交換ユニットとを，上下に重ねた連結構造とし，
前記室内熱交換ユニットには，室内熱交換器に循環する冷媒の出入口側に位置させて前記ファンを駆動するためのファン駆動装置が設けられ，
前記ファン駆動装置は，電子基盤が配設された基盤室と，パワートランスが配設されたパワートランス室とに区画され，前記基盤室が室内熱交換ユニット内に収納されると共に，前記パワートランス室が前記室内熱交換器ユニットの外側にはみ出した状態で設けられていることを特徴とする空気調和システム。
【発明の詳細な説明】
【０００１】
【発明の属する技術分野】
本発明は，ファン及び当該ファンを駆動するファン駆動装置を備えたファンユニットと室内熱交換器を備えた室内熱交換器ユニットとを連結して室内機を構成した際に，ファン駆動装置における電子基板が所定温度以下になるようにした空気調和システムに関する。
【０００２】
【従来の技術】
従来，複数の部屋を冷暖房するには，各部屋に対応して空気調和機を設けることが一般的であるが，これでは必要とする空気調和機の台数が多くなり不経済である。
【０００３】
そこで，各部屋に室内機を設けて，当該室内機に１台の室外機から冷媒を供給することにより，空気調和を行うマルチ式空気調和機が市場に提供され始めている。
【０００４】
しかし，このマルチ方式の空気調和機でも，室内機は被調和室と同じ台数が必要となると共に，被調和室の数が多い場合には冷媒配管の総配管距離が長くなるため冷媒循環を行うのに能力の大きい室外機を使用する必要があり，また複雑な冷媒配管経路となって，施工性及びメンテナンス性に欠ける問題がある。
【０００５】
このような観点から，本願出願人は特願平９−６１８において図５に示すような構成の空気調和機を提案した。
【０００６】
当該空気調和機は，冷媒を圧縮する図示しない圧縮機等を備えて室外に配設される室外機２０ａ，２０ｂ，天井裏や階段下等に配設されて冷媒と室内空気とを熱交換する室内機１０ａ，１０ｂ，各被調和室に設けられて調和された空気を当該被調和室に吹出す吹出チャンバー６０ａ，６０ｂ，該室内機１０ａ，１０ｂで調和された空気を吹出チャンバー６０ａ，６０ｂに導くダクト１００ａ，１００ｂ，屋内の換気を行うと共に当該換気用空気の熱を回収する図示しない熱回収器を備えた換気ユニット３１等を有している。
【０００７】
なお，室内機１０ａ，１０ｂはファン及び当該ファンを駆動するファン駆動装置を備えたファンユニットと室内熱交換器を備えた室内熱交換器ユニットとに分割され，ファンユニット及び室内熱交換器ユニットは同じ大きさの賽子状筐体に収納されている。
【０００８】
【発明が解決しようとする課題】
しかしながら，ファン駆動装置は，電子部品であるため電子基板の温度を６０℃以下に設定しなければならないのも関わらず，天井裏の温度等によってはこの温度以下にすることが困難となる場合があった。
【０００９】
そこで本発明は，ファン駆動装置における電子基板の温度を安価，かつ，容易に所定温度以下にするようにして信頼性の高い空気調和システムを提供することを目的とする。
【００１０】
【課題を解決するための手段】
上記課題を解決するために，請求項１にかかる発明は，冷媒と室内空気との熱交換を行う室内機と，複数の被調和室に設けられると共に，天井裏や床下に配設されたダクトにより連結されて室内機からの空気を被調和室に吹出す吹出チャンバーとを有してなる空気調和システムにおいて，室内機は，室内空気を吸気して送風するファンを備えたファンユニットと，このファンユニットで吸気した室内空気と冷媒とを熱交換させる室内熱交換器を内蔵した室内熱交換ユニットとを，上下に重ねた連結構造とし，室内熱交換ユニットには，室内熱交換器に循環する冷媒の出入口側に位置させてファンを駆動するためのファン駆動装置が設けられ，ファン駆動装置は，電子基盤が配設された基盤室と，パワートランスが配設されたパワートランス室とに区画され，基盤室が室内熱交換ユニット内に収納されると共に，パワートランス室が室内熱交換器ユニットの外側にはみ出した状態で設けられて，ファン駆動装置における電子基板の温度を安価，かつ，容易にして効率的に所定温度以下にするようにして信頼性を高めたことを特徴とする。
【００１２】
【発明の実施の形態】
本発明の実施の形態を図を参照して説明する。なお，従来と同一構成に関しては同一符号を用いて説明を適宜省略する。
【００１３】
図１は本発明にかかる空気調和システムを家屋に設置した時の概念図で，１階用の空気調和機と２階用の空気調和機とからなり，これらの構成は後述する吸込チャンバーの構成が相違している以外は同じである。
【００１４】
各空気調和機は，冷媒を圧縮する図示しない圧縮機等を備えた室外機２０ａ，２０ｂ，室内空気と冷媒とを熱交換させる室内機１０ａ，１０ｂ，居室等の被調和室に設けられて調和された空気を当該被調和室に吹出す際の吹出口をなす吹出チャンバー６０ａ，６０ｂ，室内機１０ａ，１０ｂからの調和された空気を各被調和室に分配する分岐チャンバー５０ａ，５０ｂ，室内機１０ａ，１０ｂ，分岐チャンバー５０ａ，５０ｂ及び吹出チャンバー６０ａ，６０ｂ等を連結して空気の流路を形成するダクト１００ａ，１００ｂ，屋内の換気を行うと共に当該換気用空気の熱を回収する図示しない熱回収器を備えた換気ユニット３０等により構成されている。
【００１５】
１階用の空気調和機における室内機１０ａは，図２（ａ）に示すような外観を有し，階段下のような閉空間内に配設されて，当該閉空間４０ａが吸込チャンバーとして作用している。
【００１６】
これにより，吸込チャンバーを別途設ける必要が無くなるので，製造コストを安価にすることが可能になる。
【００１７】
また，２階用の空気調和機における室内機１０ｂは，図２（ｂ）に示すような外観を有し，天井裏に配設されて，吸込チャンバー４０ｂを介して室内空気を吸気するようになっている。
【００１８】
なお，本実施の形態においては，階段下の閉空間４０ａ及び吸込チャンバー４０ｂに外気と室内空気とが冷房時及び暖房時を問わず一定比で流入する構成となっているが，当該比率を変える場合には，これらにダンパー装置等を設ければよい。
【００１９】
室内機１０ａ，１０ｂは，室内空気を吸気するファンユニット１１ａ，１１ｂ，当該吸気した室内空気と冷媒との熱交換を行う室内熱交換器ユニット１２ａ，１２ｂとにより構成されている。
【００２０】
ファンユニット１１ａ，１１ｂには，図示しないファンが設けられ，室内熱交換器ユニット１２ａ，１２ｂには，室内熱交換器及びファンを駆動するためのファン駆動装置１３ａ，１３ｂが設けられている。
【００２１】
図３及び図４は，室内機１０ａの水平断面図及び側断面図をそれぞれ示し，ファン駆動装置１３ａは室内熱交換器１４の冷媒出入口部１５Ａ側になるように設けられている。なお，以下の説明においては室内機の構成を階段下に設けられた室内機１０ａを例に説明する。
【００２２】
そして，ファン駆動装置１３ａは，発熱量の大きなパワートランス１８等が配設されたパワートランス室１６Ａと上限温度が規定された電子基板１７等が配設された基板室１６Ｂとに区画された金属製の筐体１９を有している。
【００２３】
ファン駆動装置１３ａは室内熱交換器１４の冷媒出入口部１５Ａ側に配設され，かつ，基板室は１６Ｂは室内熱交換器ユニット１２ａ内に収納され，パワートランス室１６Ａは当該室内熱交換器ユニット１２ａから飛出して設けられている。
【００２４】
これにより，室内熱交換器１４の熱で電子基板１７が収納された基板室１６Ｂを冷却するようにすると共に，パワートランス１８の熱が基板室１６Ｂの温度を上昇させにくくしている。
【００２５】
また，パワートランス１８が室内機１０ａ，１０ｂから飛出して設けられていることにより，当該室内機１０ａ，１０ｂで熱交換する室内空気がパワートランス１８の熱で温度上昇することがなく，熱交換効率の低下を防ぐことが可能となっている。
【００２６】
なお，ファン駆動装置１３ａを室内熱交換器１４の冷媒出入口部１５Ａ側に配設したのは，この部分の冷媒配管の配設幅が反対側のヘアピン部１５Ｂより広くなり，大きなデッドスペースが発生するので，当該デッドスペースを有効活用して装置の小型化を行うためである。
【００２７】
【発明の効果】
以上説明したように，請求項１にかかる発明によれば，冷媒と室内空気との熱交換を行う室内機と，複数の被調和室に設けられると共に，天井裏や床下に配設されたダクトにより連結されて室内機からの空気を被調和室に吹出す吹出チャンバーとを有してなる空気調和システムにおいて，室内機は，室内空気を吸気して送風するファンを備えたファンユニットと，このファンユニットで吸気した室内空気と冷媒とを熱交換させる室内熱交換器を内蔵した室内熱交換ユニットとを，上下に重ねた連結構造とし，室内熱交換ユニットには，室内熱交換器に循環する冷媒の出入口側に位置させてファンを駆動するためのファン駆動装置が設けられ，ファン駆動装置は，電子基盤が配設された基盤室と，パワートランスが配設されたパワートランス室とに区画され，基盤室が室内熱交換ユニット内に収納されると共に，パワートランス室が室内熱交換器ユニットの外側にはみ出した状態で設けられているので，安価，かつ，容易にして効率的にファン駆動装置における電子基板の温度を所定温度以下にすることができ，信頼性が向上する。また，ファン駆動装置を室内熱交換器の冷媒出入口側に位置させて設けることは，この部分の冷媒配管の配設幅が反対側のヘアピン部より広くなり，大きなデッドスペースが発生するので，当該デッドスペースを有効活用して装置の小型化を図ることができる。
【図面の簡単な説明】
【図１】本発明の実施の形態の説明に適用される空気調和システムの構成を示す図である。
【図２】室内機の斜視図である。
【図３】室内機の水平断面図である。
【図４】室内機の側断面図である。
【図５】従来の技術の説明に適用される空気調和システムの構成図である。
【符号の説明】
１０ａ，１０ｂ  室内機
１１ａ，１１ｂ  ファンユニット
１２ａ，１２ｂ  室内熱交換器ユニット
１３ａ，１３ｂ  ファン駆動装置
１４  室内熱交換器
１６Ａ  パワートランス室
１６Ｂ  基板室
１７  電子基板
１８  パワートランス
２０ａ，２０ｂ  室外機
６０ａ，６０ｂ  吹出チャンバー
１００ａ，１００ｂ  ダクト
【図１】
0003728095.tif 000002
【図２】
0003728095.tif 000003
【図３】
0003728095.tif 000004
【図４】
0003728095.tif 000005
【図５】
0003728095.tif 000006